(57)【特許請求の範囲】
【請求項１】
薬剤の複数のユーザ可変用量を選択し、投薬するための薬物送達デバイスであって：
ハウジング（１０）と、
用量設定および用量投薬中、ハウジング（１０）に対して回転可能な用量設定要素（６０）と、
クラッチ（１２０）を介して用量設定部材（６０）に連結された駆動部材（４０）と、
ハウジング（１０）および駆動部材（４０）に連結されたピストンロッド（３０）とを含み、
ハウジング（１０）およびリセット要素（１５０）に着脱式に取り付けられたカートリッジホルダ（２０）であって、リセット要素は、用量設定要素（６０）に軸方向に拘束される、カートリッジホルダと、
リセット要素（１５０）に対して作用する少なくとも１つのばね（１３０）とをさらに含み、
その結果、カートリッジホルダ（２０）がハウジング（１０）から取り外された場合、リセット要素（１５０）は、用量設定要素（６０）がハウジング（１０）に回転方向に拘束され、駆動部材（４０）がハウジング（１０）に対して回転することが可能になる位置へ、ハウジング（１０）に対して軸方向に動かされることを特徴とする、前記薬物送達デバイス。
【請求項２】
カートリッジホルダ（２０）がハウジング（１０）に取り付けられた場合、カートリッジホルダ（２０）は、リセット要素（１５０）および用量設定要素（６０）を、用量設定要素（６０）がハウジング（１０）に対して回転可能である位置へ、少なくとも１つのばね（１３０）の付勢に逆らって動かす、請求項１に記載の薬物送達デバイス。
【請求項３】
リセット要素（１５０）は、ハウジング（１０）に恒久的に回転方向に拘束される、請求項１または２に記載の薬物送達デバイス。
【請求項４】
駆動部材（４０）は、駆動部材（４０）がリセット要素（１５０）を介してハウジング（１０）に回転方向に拘束される用量設定位置と、駆動部材（４０）がリセット要素（１５０）およびハウジング（１０）に対して回転可能である用量投薬位置との間で、ハウジング（１０）に対して軸方向に可動である、請求項１〜３のいずれか１項に記載の薬物送達デバイス。
【請求項５】
少なくとも１つのばね（１３０）は、駆動部材（４０）をその用量設定位置に付勢する、請求項４に記載の薬物送達デバイス。
【請求項６】
ハウジング（１０）は、中央開口部および少なくとも１つのさらなる開口部を備えた内方向に突出する壁またはウエブ（１２）を含み、カートリッジホルダ（２０）およびリセット要素（１５０）の一方は、さらなる開口部を通って延びる、少なくとも１つの軸方向に延びるフィンガを含む、請求項１〜５のいずれか１項に記載の薬物送達デバイス。
【請求項７】
内方向に突出する壁またはウエブ（１２）は、内側ねじ山を含み、ピストンロッド（３０）は、駆動部材（４０）に回転方向に拘束され、内側ねじ山と係合する外側ねじ山（３１）を含む、請求項６に記載の薬物送達デバイス。
【請求項８】
カートリッジホルダ（２０）と、内方向に突出する壁またはウエブ（１２）との間に軸方向に間置された少なくとも１つのカートリッジホルダばね（１６０）をさらに含む、請求項６または７に記載の薬物送達デバイス。
【請求項９】
ハウジング（１０）と用量設定要素（６０）との間に間置された、駆動ばね（９０）、好ましくはねじりばね（９０）をさらに含む、請求項１〜８のいずれか１項に記載の薬物送達デバイス。
【請求項１０】
ハウジング（１０）と用量設定要素（６０）との間に径方向に間置されたゲージ要素（１１０）をさらに含み、ここで、該ゲージ要素（１１０）は、ハウジング（１０）に対して軸方向に可動であり、用量設定要素（６０）とねじ係合する、請求項１〜９のいずれか１項に記載の薬物送達デバイス。
【請求項１１】
ハウジング（１０）は、少なくとも１つのアパーチャ（１１ａ、１１ｂ）を含み、ゲージ要素（１１０）は、少なくとも１つのアパーチャ（１１１）を含み、用量設定要素（６０）は、その外側表面上にマーキングを含み、該マーキングの少なくとも１つは、用量設定および用量投薬中、ゲージ要素（１１０）内のアパーチャ（１１１）およびハウジング（１０）内のアパーチャ（１１ｂ）から見ることができる、請求項１０に記載の薬物送達デバイス。
【請求項１２】
ゲージ要素（１１０）は、最小用量回転止め具と、最大用量回転止め具とを含み、用量設定要素は、最小用量回転対向止め具と、最大用量回転対向止め具とを含む、請求項１０または１１に記載の薬物送達デバイス。
【請求項１３】
滑りクラッチ（４２、１２１）は、駆動部材（４０）上のクラッチ歯（４２）の第１のリングと、用量設定および用量投薬中、用量設定要素（６０）に回転方向に拘束されるクラッチプレート（１２０）上のクラッチ歯（１２１）の第２のリングとを含む、請求項１〜１２のいずれか１項に記載の薬物送達デバイス。
【請求項１４】
少なくとも１つのばね（１３０）は、駆動部材（４０）を付勢して、クラッチプレート（１２０）に当接して、カートリッジホルダ（２０）がハウジング（１０）から取り外された場合、少なくとも１つのばね（１３０）は、用量設定要素（６０）を、クラッチプレート（１２０）に対して、該クラッチプレート（１２０）および用量設定要素（６０）が回転方向にデカップリングされる軸方向位置へ付勢する、請求項１３に記載の薬物送達デバイス。
【請求項１５】
薬剤を含むカートリッジ（１００）をさらに含む、請求項１〜１４のいずれか１項に記載の薬物送達デバイス。
【発明の詳細な説明】
【技術分野】
【０００１】
本発明は、一般に、薬剤の複数のユーザ可変用量を選択し、投薬するための薬物送達デバイス、およびこれを組み立てる方法を対象とする。
【背景技術】
【０００２】
ペンタイプの薬物送達デバイスは、正式な医療訓練を受けていない人による定期的な注射が行われる場合に適用される。これは、糖尿病を有する患者の中では益々一般的になってきており、この場合、自己治療により、そのような患者は、自身の疾患の効果的な管理を行うことができる。実際、そのような薬物送達デバイスは、ユーザが、薬剤の複数のユーザ可変用量を個々に選択し、投薬することを可能にする。本発明は、設定用量を増減する可能性がない、所定の用量の投薬のみを可能にするいわゆる固定用量デバイスは対象とされない。
【０００３】
基本的には、２つのタイプの薬物送達デバイス：すなわち、リセット可能な（すなわち再使用可能な）デバイスおよびリセットできない（すなわち使い捨ての）デバイスが存在する。たとえば、使い捨てのペン送達デバイスは、自己完結型デバイスとして供給される。そのような自己完結型デバイスは、着脱式の事前充填されたカートリッジを有さない。そうではなく、事前充填されたカートリッジは、そのデバイス自体を破壊しなければこれらのデバイスから取り外し、取り換えることはできない。その結果、そのような使い捨てのデバイスは、リセット可能な用量設定機構を有する必要はない。本発明は、デバイスのリセットおよびカートリッジの取り換えを可能にする再使用可能なデバイスを対象とする。デバイスのリセットは、通常、ピストンロッドまたは親ねじを伸張（遠位）位置から、すなわち用量投薬後の位置から、より後退された（近位）位置まで動かすことを伴う。
【０００４】
これらのタイプのペン送達デバイス（これらがしばしば拡大された万年筆に似ているためにそのように名付けられる）は、一般的には、３つの主要要素：すなわち、ハウジングまたはホルダ内にしばしば含まれるカートリッジを含むカートリッジセクションと；カートリッジセクションの一方の端部に連結されたニードルアセンブリと；およびカートリッジセクションの他方の端部に連結された薬注セクションとを含む。（しばしばアンプルと称される）カートリッジは、通常、医薬品（たとえばインスリン）で充填されたリザーバと、カートリッジリザーバの一方の端部に位置する可動のゴムタイプの栓またはストッパと、他方のしばしば絞られた端部に位置する穿孔可能なゴム封止部を有する上部とを含む。通常、圧着された環状金属バンドを使用し、ゴム封止部を所定場所に保持する。カートリッジハウジングは、通常、プラスチックから作ることができ、カートリッジリザーバは、従来、ガラスから作られている。
【０００５】
ニードルアセンブリは、通常、取り換え可能な両頭針アセンブリである。注射の前、取り換え可能な両頭針アセンブリは、カートリッジアセンブリの一方の端部に取り付けられ、用量が設定され、その後、設定用量が投与される。そのような着脱式ニードルアセンブリは、カートリッジアセンブリの穿孔可能な封止端部上にねじ込まれ、または押し込まれる（すなわちカチッと留められる）。
【０００６】
薬注セクションまたは用量設定機構は、通常、用量を設定する（選択する）ために使用されるペンデバイスの部分である。注射中、用量設定機構内に含まれたスピンドルまたはピストンロッドは、カートリッジの栓またはストッパを押しつける。この力が、カートリッジ内に含まれた医薬品を、取り付けられたニードルアセンブリから注射する。注射後、ほとんどの薬物送達デバイスおよび／またはニードルアセンブリ製造者および供給者によって一般的に推奨されるように、ニードルアセンブリは、取り外され、破棄される。
【０００７】
薬物送達デバイスタイプをさらに差別化することは、駆動機構を参照する：たとえばユーザが注射ボタンに力をかけることによって手動で駆動されるデバイス、ばねなどによって駆動されるデバイス、およびこれらの２つの概念を組み合わせたデバイス、すなわちユーザが注射力を及ぼすことを依然として必要とするばね支援式デバイスが存在する。ばねタイプデバイスは、事前に負荷がかけられたばねと、用量選択中、ユーザによって負荷がかけられるばねとを伴う。一部の蓄積エネルギーデバイスは、事前に負荷がかけられたばねと、たとえば用量設定中、ユーザによって与えられた追加のエネルギーとの組合せを使用する。
【０００８】
手動で駆動される再使用可能な薬物送達デバイスは、たとえば、特許文献１および特許文献２から知られている。これらのデバイスは、カートリッジ内に残る薬剤の量を超える用量の設定を防止する最終用量機構を含む。カートリッジを取り換えることにより、ピストンロッドを投薬方向とは反対方向に押すことによってこの最終用量機構のリセットが可能になる。
【０００９】
さらに、特許文献３は、ハウジングと、用量設定および用量投薬中、最小用量位置と最大用量位置との間でハウジングに対して回転可能な用量設定要素と、ラチェットを介して用量設定部材に連結された駆動部材と、ハウジングインサートにねじ込まれ、駆動部材に回転方向に拘束されたピストンロッドとを備えたばね駆動式薬物送達デバイスを開示している。デバイスのリセットは、この文献では、設定用量を低減するプロセスとして上記の定義とは異なって述べられている。カートリッジを取り換え、たとえばピストンロッドをリセットすることは、特許文献３には開示されない。
【先行技術文献】
【特許文献】
【００１０】
【特許文献１】国際公開第２０１４／０３３１９５Ａ１号
【特許文献２】欧州特許第２２７４０３０Ｂ１号
【特許文献３】欧州特許第１８１９３８２Ｂ１号
【発明の概要】
【発明が解決しようとする課題】
【００１１】
本発明の目的は、改良されたリセット可能な薬物送達デバイスを提供することである。
【００１２】
この目的は、請求項１に記載の薬物送達デバイスによって解決される。本発明による薬物送達デバイスは、薬剤の複数のユーザ可変用量を選択し、投薬するのに適している。デバイスは、通常、ハウジングと、用量設定要素と、クラッチを介して用量設定部材に連結された駆動部材と、ハウジングおよび駆動部材に連結されたピストンロッドとを含む。好ましくは、用量設定部材は、用量設定中、すなわち用量を増減させる間、および最小用量位置と最大用量位置との間での用量投薬中、ハウジングに対して回転可能である。駆動部材は、用量設定中に滑りクラッチ（ｓｌｉｐｐｉｎｇ  ｃｌｕｔｃｈ）を介して用量設定部材に回転方向に連結され、用量投薬中、用量設定部材に回転方向に拘束される。本発明は、ハウジングおよびリセット要素に着脱式に取り付けられたカートリッジホルダを提供する着想に基づく。リセット要素は、好ましくは、用量設定要素に軸方向に拘束される。加えて、デバイスは、リセット要素に対して作用する少なくとも１つのばねを含むことができ、その結果、カートリッジホルダがハウジングから取り外された場合、リセット要素は、駆動部材がハウジングに対して回転することが可能になる位置へ、ハウジングに対して軸方向に動かされる。好ましくは、リセット要素は、ハウジングに対して軸方向に動かされて、用量設定要素がハウジングに回転方向に拘束される位置になる。換言すれば、ハウジングからのカートリッジホルダの取り外しは、リセット要素、および好ましくは、用量設定要素を軸方向に動かしてリセット位置にすることを可能にし、このリセット位置では、駆動部材をハウジングおよび用量設定部材に対して回転させることができる。ピストンロッドは、ハウジングおよび駆動部材に、たとえばハウジングまたはハウジングインサートとのねじ付きインターフェースおよび駆動部材とのスプライン連結されたインターフェースを介して連結されているので、ピストンロッドの再設定は、駆動部材の自由回転を必要とする。したがって、薬物送達デバイスの再設定は、ピストンロッドまたは親ねじを、カートリッジホルダの取り外し後に押し戻すだけで実行することができる。
【００１３】
カートリッジホルダがハウジングに取り付けられる場合、カートリッジホルダは、好ましくは、リセット要素および用量設定要素を、少なくとも１つのばねの付勢に逆らって、用量設定要素がハウジングに対して回転可能である位置になるように動かす。したがって、カートリッジホルダの取り付けは、デバイスを、ハウジングに対する用量設定要素の回転を必要とする、用量設定および用量投薬を可能にする用量設定および用量投薬モードにロックする。
【００１４】
本発明の好ましい実施形態では、リセット要素は、ハウジングに恒久的に回転方向に拘束される。これは、リセット要素を構成要素部材で係合しまたは係合解除することによって、リセット要素が構成要素部材をハウジングに回転方向にロックする、またはロック解除する（拘束する、または拘束解除する）ことを可能にする。リセットモードと、用量設定および用量投薬モードとの間のリセット要素の軸方向運動は、構成要素部材をハウジングに連結し、またはそれからデカップリングするために使用することができる。
【００１５】
一実施形態によれば、駆動部材は、駆動部材がリセット要素を介してハウジングに回転方向に拘束される用量設定位置と、駆動部材がリセット要素およびハウジングに対して回転可能である用量投薬位置との間で、ハウジングに対して軸方向に可動である。換言すれば、駆動部材の軸方向位置は、デバイスが、薬剤を投薬することなく、用量設定部材の回転によってユーザが用量を増減することを可能にする用量設定モードにあるか、または用量設定要素および駆動部材の回転によってユーザが設定用量を投薬することを可能にする用量投薬モードにあるかを決定する。好ましくは、少なくとも１つのばねは、駆動部材をその用量設定位置に付勢する。
【００１６】
この実施形態の別の開発では、用量設定要素と駆動部材との間のクラッチは、駆動部材上の第１のクラッチ歯と、用量設定および用量投薬中、用量設定要素に回転方向に拘束されるクラッチプレート上の第２のクラッチ歯とを備えた滑りクラッチである。たとえば、第１および／または第２のクラッチ歯は、歯のリングとして、好ましくは軸方向を向いて各々分散される。クラッチ機能および対応するクラッチ機能は、一揃えの歯、好ましくは鋸歯を各々が含み、これらの歯は、互いに対して堅く押さえすぎなければ互いの上方を滑らされる。換言すれば、クラッチ機能は、スリーブおよび／またはクラッチ要素をクラッチばねの力に対して軸方向に並進運動させることを可能にすることにより、クラッチばねの軸方向の付勢に逆らって緩められる。これは、係合解除とそれに続く次の戻り止め位置への再係合の連続により、スリーブおよび／またはクラッチ要素の振動する軸方向運動を引き起こすことになる。可聴のクリックが、この再係合によって生成され、触覚フィードバックが、必要とされるトルク入力の変化によって与えられる。
【００１７】
少なくとも１つのばねは、駆動部材を付勢してクラッチプレートと当接させることができる。カートリッジホルダがハウジングから取り外される場合、少なくとも１つのばねは、用量設定要素をクラッチプレートに対する軸方向位置、すなわちクラッチプレートおよび用量設定要素が、回転方向にデカップリングされる位置になるように付勢することができる。これは、滑りクラッチに打ち勝つことなく、用量設定要素に対する駆動部材の回転を可能にする。
【００１８】
好ましくは、駆動部材と用量設定要素との間のクラッチは、滑りクラッチであり、この滑りクラッチは、設定用量を増減させるための用量設定中、駆動部材と用量設定要素との間の両方向の相対回転を可能にする。デバイスがばね駆動式デバイスである場合、クラッチ歯は、相対回転の方向に応じて、クラッチに打ち勝つための異なる抵抗をもたらすように設計することができる。たとえば、傾斜角度は、より浅くして、用量増大方向により小さい抵抗を結果として生じさせることができ、また、より険しくして、用量低減方向により大きい抵抗を結果として生じさせることができる。
【００１９】
ハウジングは、中央開口部および少なくとも１つの別の開口部を備えた内方向に突起する壁またはウエブを含むことができ、このときカートリッジホルダおよびリセット要素の一方は、この別の開口部を通って延びる、少なくとも１つの軸方向に延びるフィンガ、またはそのような突起部を含んでいる。これは、力または動きをカートリッジホルダからリセット要素に付与する、または反対の形で付与することを可能にする。好ましくは、内方向に突起する壁またはウエブは、内側ねじ山を含み、ここでピストンロッドは、駆動部材に回転方向に拘束され、内側ねじ山と係合する外側ねじ山を含む。
【００２０】
薬物送達デバイスは、さらに、カートリッジホルダと内方向に突起する壁またはウエブとの間に軸方向に間置された少なくとも１つのカートリッジホルダばねを含むことができる。この追加のばねは、カートリッジの長さ公差を補償し、さらに、カートリッジを規定された遠位位置にもっていくことができる。
【００２１】
好ましい実施形態によれば、薬物送達デバイスは、ばね駆動式デバイスである。駆動ばね、好ましくはねじりばねをハウジングと用量設定要素との間に間置することができる。用量投薬に必要とされる力またはトルクを生成する、ねじりばねなどの弾性駆動部材を設けることにより、用量投薬のためにユーザがかける力は低減される。これは、手先に問題があるユーザにとって特に役立つものである。加えて、必要とされる投薬ストロークの結果である、知られている手動駆動式デバイスのダイヤル伸張は、弾性部材を設けることによって省略することができ、その理由は、弾性部材を解放するには小さいトリガストロークだけが必要であるためである。駆動ばねは、少なくとも部分的に、事前にチャージ（ｐｒｅ−ｃｈａｒｇｅ）することができ、および／または用量設定中、ユーザによってチャージすることができる。
【００２２】
別の好ましい実施形態では、薬物送達デバイスは、さらに、ハウジングと用量設定要素との間に径方向に間置されたゲージ要素を含む。ゲージ要素は、ハウジングに対して軸方向に可動であり、用量設定要素とねじ係合する。ハウジングは、少なくとも１つのアパーチャを含むことができ、ゲージ要素は、少なくとも１つのアパーチャを含むことができる。用量設定要素が、その外側表面上にマーキングを含む数字スリーブである場合、マーキングの少なくとも１つは、用量設定および用量投薬中、ゲージ要素内のアパーチャおよびハウジング内のアパーチャから見ることができる。アパーチャという用語は、ハウジングもしくはゲージ要素の簡単な開口部、または透明窓またはレンズを含むことができる。ハウジング内の窓は、「２ショット」成形技術を使用して組み込むことができる。たとえば、ハウジングは、半透明材料による「第１のショット」中に成形され、ハウジングの外側カバーは、不透明材料での「第２のショット」中に成形される。
【００２３】
ゲージ要素は、用量設定要素の回転がゲージ要素の軸方向変位を引き起こすように、ハウジング内で軸方向に案内される。ゲージ要素の位置は、したがって、正確に設定されたおよび／または投薬された量を特定するために使用することができる。ゲージ部材のセクションの種々の色は、ディスプレイ上の数字、記号などを読み取ることなく、設定されたおよび／または投薬された用量を特定することを容易にすることができる。ゲージ要素は、用量設定要素とねじ係合するため、用量設定要素の回転は、用量設定要素に対する、およびハウジングに対するゲージ要素の軸方向変位を引き起こす。ゲージ要素は、デバイスの長手方向に延びるシールドまたはストリップの形態を有することができる。代替として、ゲージ要素は、スリーブとすることができる。本発明の一実施形態では、用量設定要素は、らせん経路上に配置された連続数字または記号でマークされる。用量設定要素がゲージ要素の径方向に内方向に位置するとき、これにより、用量設定要素上の数字または記号の少なくとも１つをアパーチャまたは窓から見ることができることが可能になる。換言すれば、ゲージ要素は、用量設定要素の一部分を隠すまたは覆い、用量設定部材の限定された部分だけを見ることを可能にするために使用することができる。この機能は、ゲージ要素それ自体が正確に設定されたおよび／または投薬された用量を特定するまたは指示するのに適していることに付加されるものである。
【００２４】
全体的に、ゲージ要素および用量設定要素の概念は、駆動ばねを有する、または有さないさまざまなタイプのデバイスに適用可能である。好ましい実施形態では、用量設定要素は、用量設定中、ハウジング内でハウジングに対して回転運動だけを行うように適用される。換言すれば、用量設定要素は、用量設定中、並進運動を実行しない。これは、用量設定要素がハウジングから巻き出されること、またはハウジングが、その中で用量設定要素を覆うために長くされなければならないことを回避する。
【００２５】
ゲージ要素および用量設定要素の相対運動は、さらに、最小用量位置および最大用量位置を規定するために使用することができる。通常、最小設定可能用量はゼロ（０ＩＵのインスリン製剤）であり、それにより、リミッタが用量投薬の最後にデバイスを停止させる。最大設定可能用量、たとえば６０、８０、または１２０ＩＵのインスリン製剤は、種々の用量サイズを必要とする幅広い範囲の患者に依然として適しながらも、過剰投与のリスクを低減し、非常に高い用量を投薬するために必要とされるさらなるばねトルクを回避するために限定される。好ましくは、最小用量および最大用量の限界値は、硬質の止め具機能によって与えられる。たとえば、ゲージ要素は、最小用量回転止め具および最大用量回転止め具を含み、用量設定要素は、最小用量回転対向止め具および最大用量回転対向止め具を含む。それぞれの止め具と対向止め具の当接は、ゲージ要素と用量設定要素との間のさらなる相対運動を阻止する。用量インジケータは、用量設定中および用量投薬中、ゲージ要素に対して回転するので、これらの２つの構成要素は、信頼高く堅固なリミッタ機構を形成するのに適している。
【００２６】
デバイスは、さらに、投薬ボタンまたはトリガを含むことができる。ボタンは、好ましくは、駆動スリーブおよびクラッチ要素の近位に位置するユーザ作動可能な要素である。薬物送達デバイスに使用されるとき、ボタンは、デバイスの近位端から延びることができ、好ましくは、用量設定中、その軸方向位置を変更しない。ボタンは、好ましくは、ユーザ作動可能な用量セレクタに連結され、数字スリーブ構成要素および／または固定ハウジング構成要素に解放可能に連結することができる。代替の実施形態では、ボタンは、用量設定配置の一部とすることができ、または用量設定部材とすることができる。ボタンは、上記の特徴に加えて、たとえばクリッカ機能を有する多機能要素とすることができる。
【００２７】
固定ハウジング構成要素は、軸方向に可動な（駆動）スリーブ、クラッチ要素およびボタンの相対運動のための固定された基礎部分である。これは、多要素ハウジングの一部とすることができ、または、薬剤送達デバイスの唯一のハウジング構成要素とすることができる。ハウジング構成要素は、上記の特徴に加えて、たとえば、クリッカ機能および／またはピストンロッドとのインターフェースを有する多機能要素とすることができる。
【００２８】
薬物送達デバイスは、さらに、カートリッジに残された液体の量を超える用量の設定を防止するための最終用量保護機構を含むことができる。これは、ユーザが、用量送達を開始する前に、どれだけの量が送達されるかを把握するという利点を有する。これはまた、用量送達が、栓がカートリッジのネック部分、すなわち直径がより小さいところに入り結果として過小用量を生じさせることなく、制御された状態で停止することも確実にする。たとえば、最終用量保護機構は、駆動部材と、用量設定要素（数字スリーブ）または用量設定および用量投薬中に回転する任意の他の構成要素との間に間置されたナット部材を含む。好ましい実施形態では、用量設定要素は、用量設定中および用量投薬中、回転し、その一方で駆動部材は、用量設定要素と一緒に、用量投薬中のみ回転する。したがって、この実施形態では、ナット部材は、用量設定中、軸方向のみに動き、用量投薬中、これらの構成要素に対して固定されたままである。好ましくは、ナット部材は、駆動部材にねじ込まれ、用量設定部材にスプライン連結される。代替として、ナット部材を用量設定部材にねじ込み、駆動部材にスプライン連結することができる。ナット部材は、フルナット、またはハーフナットなどのその一部とすることができる。
【００２９】
注射デバイスは、触覚および／または可聴フィードバックを生成するための少なくとも１つのクリッカ機構を含むことができる。フィードバックは、用量設定（用量の増大および／低減）中、用量投薬中、および／または用量投薬の最後に生成することができる。
【００３０】
薬物送達デバイスは、薬剤を含むカートリッジを含むことができる。本明細書で使用する用語「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００３１】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００３２】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００３３】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００３４】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３５】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３６】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３７】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３８】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００３９】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００４０】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００４１】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００４２】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００４３】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００４４】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００４５】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４６】
薬学的に許容される溶媒和物は、たとえば、水和物である。
【００４７】
本発明の非限定的な例示的な実施形態が、次に添付の図を参照して説明される。
【図面の簡単な説明】
【００４８】
【図１】本発明による薬物送達デバイスの上面図である。
【図２】図１のデバイスの構成要素の分解図である。
【図３】図１のデバイスの断面図である。
【図４】図１のデバイスのゲージ要素の側面図である。
【図５】図１のデバイスの数字スリーブの詳細図である。
【図６】図１のデバイスの詳細断面図である。
【図７ａ】用量設定モードおよび用量投薬モードにおける図１のデバイスの断面図である。
【図７ｂ】用量設定モードおよび用量投薬モードにおける図１のデバイスの断面図である。
【図８ａ】図７ａ、ｂの詳細図である。
【図８ｂ】図７ａ、ｂの詳細図である。
【図９】図１のデバイスの詳細図である。
【図１０】図１のデバイスのカートリッジホルダばねの側面図である。
【図１１】図１のデバイスの詳細図である。
【図１２ａ】図１のデバイスをリセットする順序を示す断面図である。
【図１２ｂ】図１のデバイスをリセットする順序を示す断面図である。
【図１２ｃ】図１のデバイスをリセットする順序を示す断面図である。
【図１３】本発明の薬物送達デバイスの代替的な実施形態の詳細図である。
【発明を実施するための形態】
【００４９】
図１は、注射ペンの形態の薬物送達デバイスを示す。デバイスは、遠位端（図１の左端）と、近位端（図１の右端）とを有する。薬物送達デバイスの構成要素部材は、図２に示される。薬物送達デバイスは、本体またはハウジング１０と、カートリッジホルダ２０と、親ねじ（ピストンロッド）３０と、駆動スリーブ４０と、ナット５０と、用量インジケータ（数字スリーブ）である用量設定要素６０と、ボタン７０と、ダイヤルグリップまたは用量セレクタ８０と、ねじりばね９０と、カートリッジ１００と、ゲージ要素１１０と、クラッチプレート１２０と、クラッチばね１３０と、支承部１４０と、リセットプレート１５０と、カートリッジホルダばね１６０とを含む。針ハブおよび針カバーを備えた針配置（図示せず）を追加の構成要素として設けることができ、これは、上記で説明したように交換することができる。すべての構成要素は、図３に示す機構の共通の主軸Ｉの周りに同心で位置する。
【００５０】
ハウジング１０または本体は、拡大された直径を有する近位端を有する全体的に管状の要素である。ハウジング１０は、液体医薬品カートリッジ１００およびカートリッジホルダ２０、用量インジケータ６０上の用量数字を見せるための窓１１ａ、１１ｂおよびゲージ要素１１０、ならびにその外部表面上の、用量セレクタ８０を軸方向に保持するための、たとえば円周方向溝などの機能の場所を提供する。１つの大きい窓を有することも別の実施形態において可能である。このとき、窓１１ａと１１ｂとの間の不透明なブリッジは、透明領域によって置き換えられる。フランジ様または円筒状内壁１２は、ピストンロッド３０と係合する内側ねじ山を含む。ハウジング１０は、さらに、ゲージ要素１１０を軸方向に案内するための少なくとも１つの内部の、軸方向に配向されたスロットなどを有する。図に示す実施形態では、遠位端には、カートリッジホルダ２０に部分的に重複する軸方向に延びるストリップ１３が設けられる。図は、ハウジング１０を単一のハウジング構成要素として示している。しかし、ハウジング１０は、デバイスの組み立て中、互いに恒久的に取り付けることができる２つまたはそれ以上のハウジング構成要素を含むことができる。
【００５１】
カートリッジホルダ２０は、ハウジング１０の遠位端に位置し、これに対して解放可能な方法で取り付けられる。カートリッジホルダは、カートリッジ１００を受けるように管状である透明または不透明の構成要素とすることができる。カートリッジホルダ２０の遠位端には、針配置を取り付けるための手段を設けることができる。着脱式キャップ（図示せず）が、カートリッジホルダ２０の上方に嵌合するように設けられ、ハウジング１０上のクリップ機能によって保持される。カートリッジホルダ２０は、取り換え可能なカートリッジ１００を含み、リセットプレート１５０のスプライン歯１５１を駆動スリーブ４０のスプライン歯４１と軸方向に位置合わせするように作用する。カートリッジホルダ２０が取り外されたとき、トリガばね１３０がリセットプレート１５０（および用量設定要素６０）を軸方向に遠位方向に強制し、リセットプレート１５０と駆動スリーブ４０との間のスプライン歯４１、１５１、およびクラッチプレート１２０と用量設定要素６０との間のスプライン歯を係合解除し、デバイスをリセットすることを可能にする。
【００５２】
ピストンロッド３０は、スプライン連結されたインターフェースを介して駆動スリーブ４０に回転方向に拘束される。回転したとき、ピストンロッド３０は、ハウジング１０に対して、ハウジング１０とのそのねじインターフェースを通って軸方向に動くように強制される。
【００５３】
駆動スリーブ４０は、（クラッチプレート１２０を介した）用量設定要素６０とのインターフェース４２、１２１からリセットプレート１５０とのスプライン型歯インターフェース４１、１５１（図３）まで下方に延びる。これは、用量設定中、駆動スリーブ４０への回転拘束をもたらす。ボタン７０が押さえられたとき、これらのスプライン歯４１、１５１は、係合解除され、駆動スリーブ４０が駆動ばね９０の作用下で回転することを可能にし、設定用量を投薬する。ボタン７０を押さえることはまた、駆動スリーブ４０と用量設定要素６０との間の追加のスプラインクラッチ４３、６１（図７ａ）を係合させる。
【００５４】
最終用量ナット５０は、用量設定要素６０と駆動スリーブ４０との間に位置する。これは、スプライン連結されたインターフェースを介して用量設定要素６０に回転方向に拘束される。これは、（ダイヤル設定およびリセット中のみ）用量設定要素６０と駆動スリーブ４０との間に相対回転が起こったとき、ねじ付きインターフェース４４を介して、駆動スリーブ４０に対してらせん経路に沿って動く。
【００５５】
用量設定要素６０は、ダイヤル設定および投薬状態にあるとき、その遠位端においてクリップを介してリセットプレート１５０に拘束されて、回転を可能にするが、軸方向並進運動は可能にしない。リセット状態に入ると、リセットプレート１５０および用量設定要素６０は、軸方向に遠位方向に動いて、用量設定要素６０とハウジング１０との間のスプラインインターフェース６２、１４と係合してリセット中の回転を防止する（図１２ａ〜１２ｃ）。図５に示すように、用量設定要素６０には、ゲージ要素１１０内の開口部１１１（図４）およびハウジング１０内のスロット様窓１１ｂから見ることができる連続数字がマークされて、薬剤のダイヤル設定された用量を示す。
【００５６】
ボタン７０は、用量ダイヤル設定状態にあるときに用量設定要素６０にスプライン連結される。このスプラインインターフェースは、ボタン７０が押さえられて投薬をトリガするときに連結解除される。
【００５７】
用量セレクタ８０は、ハウジング１０に径方向に拘束され、ボタン７０に回転方向に拘束される。押し下げられたとき、ボタン７０は、スプライン連結された係合を介してハウジング１０に回転方向に拘束される。
【００５８】
駆動ばね９０は、一方の端部においてハウジング１０に取り付けられ、他方の端部において用量設定要素６０に取り付けられる。駆動ばね９０は、組み立てたとき、事前に巻かれ、それにより、これは、機構がゼロカウントにダイヤル設定されたときに用量設定要素６０にトルクをかける。用量セレクタ８０を回転させて、用量を設定する作用は、用量設定要素６０をハウジング１０に対して回転させ、駆動ばね９０をチャージする。
【００５９】
ゲージ要素１１０は、回転を防止するように拘束されるが、スプライン連結されたインターフェースを介した、ハウジング１０に対する並進運動は可能にする。ゲージ要素１１０は、その内側表面上にらせん特徴１１２を有し、このらせん特徴は、用量設定要素６０内に形成されたらせんねじ山６３と係合し、それにより、用量設定要素６０の回転は、ゲージ要素１１０の軸方向並進運動を引き起こす。ゲージ要素１１０のこれらのらせん特徴はまた、用量設定要素６０内のらせん切断部（ねじ山）の端部に対して停止当接部を生み出して、設定することができる最小および最大の用量を限定する。
【００６０】
クラッチプレート１２０は、ダイヤル設定および投薬状態にあるときに用量設定要素６０にスプライン連結される。リセット状態に入ると、用量設定要素６０は、軸方向に遠位方向に移動して、クラッチプレート１２０とのこのスプラインインターフェースを連結解除する。クラッチプレート１２０はまた、ラチェットインターフェース４２、１２１（図７ａ）を介して駆動スリーブ４０に連結され、これは軸方向当接部上で起こる。ラチェットは、用量設定要素６０と駆動スリーブ４０との間に、各々の用量増分に対応する戻り止め位置をもたらし、時計回りおよび反時計回りの相対回転中、さまざまな傾斜歯の角度と係合する。
【００６１】
駆動スリーブ４０、クラッチプレート１２０、およびボタン７０の相対軸方向位置は、付勢力を駆動スリーブ４０上に近位方向にかけるトリガばね１３０の作用によって影響を受ける。静止位置では、これは、ボタン７０のスプライン７１が、用量設定要素６０のスプライン６４と係合され、駆動スリーブ４０の歯４１が、リセットプレート１５０の歯１５１と係合されることを確実にする（図８ａ、８ｂ）。
【００６２】
支承部１４０は、ピストンロッド３０に軸方向に拘束され、液体薬剤カートリッジ１００内の栓に対して作用する。
【００６３】
リセットプレート１５０は、ハウジング１０に回転方向にスプライン連結され、トリガばね１３０によってカートリッジホルダ２０に対して遠位方向に付勢される。リセットプレート１５０は、スプライン歯１５１を含み、このスプライン歯１５１は、デバイスのダイヤル設定中、駆動スリーブ４０の回転を防止し、ダイヤル設定および投薬状態において用量設定要素６０の軸方向動作を防止するようにクリップする。リセットプレート１５０は、ハウジング１０内にクリップして近位方向のその動作範囲を限定する。
【００６４】
カートリッジホルダばね１６０は、ハウジング１０とカートリッジ１００との間で、カートリッジ１００を遠位方向に付勢するように作用する。
【００６５】
次に、デバイスの主な機能について、より詳細に説明する。すなわち：デバイスが図３に示すような静止状態にあるとき、用量設定要素６０は、ゲージ要素１１０とのそのゼロ用量当接部に対して位置し、ボタン７０は、押し下げられない。用量設定要素６０上の用量マーキング「０」が、ハウジング１０およびゲージ要素１１０の窓１１ｂから見ることができる。デバイスの組み立て中、適用される事前に複数回巻かれた駆動ばね９０は、トルクを用量設定要素６０にかけ、ゼロ用量当接部によって回転することが防止される。また、ゼロ用量止め具と駆動スリーブのスプライン歯４１の角度ずれとの間のずれによってこの機構をわずかに「巻き戻す」ことも可能である。これは、用量がダイヤル設定され、ゼロ用量当接部が係合解除されるときに考えられるにじみ（ｗｅｅｐａｇｅ）を防止する効果を有する。
【００６６】
ユーザは、用量セレクタ８０を時計回りに回転させ、それによって用量設定要素６０において同一の回転を生成することによって液体薬剤の可変用量を選択する。用量設定要素６０の回転は、駆動ばね９０のチャージを引き起こし、その中に蓄積されるエネルギーを増大させる。用量設定要素６０が回転するにつれて、ゲージ要素１１０は、そのねじ係合６３、１１２によって軸方向に並進運動し、それによってダイヤル設定された用量の値を示す。ゲージ要素１１０は、窓領域１１１の両側に不透明な表面（フランジ）を有し、このフランジは、ダイヤル設定された用量に隣接して用量設定要素６０上に印刷された数字を覆って、設定用量数字のみがユーザに見えることを確実にする。
【００６７】
この機構の１つの特有の要素は、このタイプのデバイスに一般的な離散的な用量数字表示に加えて、視覚的なフィードバック機能を含めるものである。ゲージ要素１１０の遠位端は、ハウジング１０内の小さい窓１１ａを貫通する摺動スケールを生み出す（そうではあるが、これは、所望であれば、異なるらせんトラック上で用量設定要素６０と係合された別個の構成要素を使用して形成することができる）。用量がユーザによって設定されるとき、ゲージ要素１１０は、軸方向に並進し、その距離は用量設定の大きさに比例して動かされる。この機能は、用量設定の大まかなサイズに関する明確なフィードバックをユーザに与える。自動注射器機構の投薬速度は、手動注射器デバイスのものより速く、そのためこれは、投薬中、数字用量表示を読み取ることはできない。ゲージ要素１１０の機能は、投薬中、用量数字自体を読み取る必要がなく、投薬進行に関するフィードバックをユーザに提供する。
【００６８】
ゲージ要素１１０の表示は、下にある対照色の構成要素を露出させる不透明な摺動要素によって形成することができる。代替的には、隠された構成要素に、大まかな（臨時の）用量数字または他の指標が印刷されてより正確な解像度をもたらすことができる。加えて、ゲージ要素１１０の表示は、用量設定および投薬中、シリンジ作用をシミュレーションする。
【００６９】
駆動スリーブ４０は、用量がそのスプライン型歯４１とリセットプレート１５０の係合によって、設定されるときに回転することが防止され、クラッチプレート１２０は、そのスプライン型歯１２２と用量設定要素６０の歯６５との係合によって回転される（図８ａ、８ｂ）。したがって、相対回転が、クラッチプレート１２０と駆動スリーブ４０との間でラチェットインターフェース１２１、４２を介して起こるはずである。
【００７０】
用量セレクタ８０を回転させるのに必要とされるユーザトルクは、駆動ばね９０を巻き上げるのに必要とされるトルクおよびラチェット機能を緩めるのに必要とされるトルクの合計である。トリガばね１３０は、軸方向力をラチェット機能にもたらし、クラッチプレート１２０を駆動スリーブ４０上に付勢するように設計される。この軸方向負荷は、クラッチプレート１２０および駆動スリーブ４０のラチェット歯係合を維持するように作用する。ラチェットを用量設定方向に緩めるのに必要とされるトルクは、トリガばね１３０によってかけられた軸方向負荷、ラチェットの時計回りの傾斜角度、対合表面間の摩擦係数、およびラチェット機能の平均半径の関数である。
【００７１】
ユーザが、機構を１増分増加させるのに十分に用量セレクタ８０を回転させるとき、クラッチプレート１２０は、駆動スリーブ４０に対して１ラチェット歯１２１、４２分回転する。この時点で、ラチェット歯は、再係合して次の戻り止め位置になる。可聴クリックが、ラチェットの再係合によって生成され、触覚フィードバックが、必要とされるトルク入力の変化によって与えられる。
【００７２】
用量設定要素６０および駆動スリーブ４０の相対回転は、最終用量ナット５０をそのねじ付き経路に沿って、駆動スリーブ４０上のその最終用量当接部に向かって移動させる。
【００７３】
ユーザトルクが用量セレクタ８０にかけられないとき、用量設定要素６０は、このとき、クラッチプレート１２０と駆動スリーブ４０との間のラチェット係合のみによって、駆動ばね９０の作用下で回転して戻ることが防止される。ラチェット１２１、４２を反時計回り方向に緩めるのに必要なトルクは、トリガばね１３０によってかけられた軸方向負荷、ラチェットの反時計回りの傾斜角度、対合表面間の摩擦係数、およびラチェット機能の平均半径の関数である。ラチェットを緩めるのに必要なトルクは、駆動ばね９０によって用量設定要素６０（故にクラッチプレート１２０）にかけられたトルクより大きくなければならない。ラチェット傾斜角度は、したがって、反時計回り方向に増大されて、ダイヤルアップトルクが許容されるだけ低いことを確実にしながらこのようになることを確実にする。
【００７４】
ユーザは、ここで、用量セレクタ８０を時計回り方向に回転させ続けることによって、選択用量を増大させるよう選択することができる。用量設定要素６０と駆動スリーブ４０との間のラチェットインターフェース１２１、４２を緩めるプロセスは、用量増分ごとに繰り返される。追加のエネルギーが、用量増分ごとに駆動ばね９０内に蓄積され、可聴および触覚フィードバックが、ラチェット歯の再係合によって、ダイヤル設定された増分ごとに提供される。用量セレクタ８０を回転させるのに必要とされるトルクは、駆動ばね９０を巻き上げるために必要とされるトルクが増大するにつれて増大する。ラチェットを反時計回り方向に緩めるのに必要とされるトルクは、したがって、最大用量に到達したときに駆動ばね９０によって用量設定要素６０にかけられたトルクより大きくなければならない。
【００７５】
ユーザが、選択用量を、最大用量限界に到達するまで増大させ続ける場合、用量設定要素６０は、ゲージ要素１１０上のその最大用量当接部と係合する（図４および５）。これは、用量設定要素６０、クラッチプレート１２０、および用量セレクタ８０のさらなる回転を防止する。
【００７６】
機構（カートリッジ）によってすでに送達された増分（カウント）の数に応じて、用量選択中、最終用量ナット５０は、その最終用量当接部を駆動スリーブ４０に接触させることができる。この当接部は、用量設定要素６０と駆動スリーブ４０との間のさらなる相対回転を防止し、したがって、選択することができる用量を限定する。最終用量ナット５０の位置は、ユーザが用量を設定するたびに蓄積された用量設定要素６０と駆動スリーブ４０との間の相対回転の総数によって決定される。
【００７７】
用量が選択された状態に機構があるとき、ユーザは、この用量から任意の数の増分を選択解除することができる（用量補正）。用量を選択解除するまたは低減することは、ユーザが用量セレクタ８０を反時計回りに回転させることによって達成される。ユーザによって用量セレクタ８０にかけられたトルクは、駆動ばね９０によってかけられたトルクと組み合わせたとき、クラッチプレート１２０と駆動スリーブ４０との間のラチェット歯１２１、４２を反時計回り方向に緩めるのに十分である。ラチェットが緩められたとき、反時計回り回転が用量設定要素６０に（クラッチプレート１２０を介して）起こり、この反時計回り回転は、用量設定要素６０をゼロ用量位置に戻し、駆動ばね９０を巻き出す。用量設定要素６０と駆動スリーブ４０との間の相対回転は、最終用量ナット５０を、そのらせん経路に沿って戻して、最終用量当接部から離す。
【００７８】
用量が選択された状態に機構があるとき、ユーザは、機構を起動して用量の送達を開始することができる。用量の送達は、ユーザがボタン７０を軸方向に押し下げることによって開始される。
【００７９】
ボタン７０が押し下げられたとき、ボタン７０と用量設定要素６０との間のスプライン６４、７１は、係合解除され、ボタン７０および用量セレクタ８０を送達機構から回転方向に連結解除する。ボタン７０上のスプライン７１はまた、ハウジング１０上のスプライン１５と係合する（それにより、用量セレクタ８０およびボタン７０は、投薬中回転しない、図８ａおよび８ｂ参照）。ボタン７０の力は、駆動スリーブ４０上にクラッチプレート１２０を介して作用し、駆動スリーブ４０は、軸方向に移動し、リセットプレート１５０とのスプライン係合を連結解除して、駆動スリーブ４０の回転を可能にする。クラッチプレート１２０と駆動スリーブ４０のラチェット上の力は、トリガばね１３０の圧縮によって増大され、これらの構成要素を、用量設定要素６０を介して駆動ばね９０によって駆動されてラチェット１２１、４２を緩めるのではなく、一緒に回転させる。駆動スリーブ４０の回転は、ピストンロッド３０を、そのスプライン係合によって回転させ、次いで、ピストンロッド３０は、そのねじ係合によってハウジング１０まで前進する。用量設定要素６０の回転はまた、ゲージ要素１１０を軸方向に横断させてそのゼロ位置に戻し、それによってゼロ用量当接部は、機構を停止させる。投薬中、駆動スリーブ４０と用量設定要素６０との間の追加のスプラインインターフェース４３、６１が、ボタン７０の力が投薬の途中で除去された場合に用量設定要素６０の自由回転を防止するために係合され、この場合、クラッチプレート１２０とスリーブ４０のラチェットは、駆動スリーブ４０がリセットプレート１５０のスプラインとその回転係合を確立する前に、瞬間的に外される。
【００８０】
用量投薬中の触覚フィードバックは、ボタン７０内に組み込まれた柔軟なカンチレバークリックアーム７２を介して提供される（図９）。これは、用量設定要素６０上のラチェット機能６６と径方向にインターフェース連結する。投薬中、用量設定要素６０が回転し、ボタン７０がハウジング１０に回転方向に連結されるとき、機能６６は、クリッカアーム７２と相互作用して、各々の用量増分（用量カウント）が送達されたときに可聴のクリックを生成する。
【００８１】
用量の送達は、上記で説明した機械的相互作用を介して継続し、その間ユーザは、ボタン７０を押し下げ続ける。ユーザがボタン７０を解放した場合、トリガばね１３０は、駆動スリーブ４０およびクラッチプレート１２０を介して、ボタン７０をその静止位置に戻し、駆動スリーブ４０はクラッチ歯４１、１５１を介してリセットプレートに回転方向に拘束され、用量の送達が止まる。
【００８２】
用量の送達中、駆動スリーブ４０および用量設定要素６０は一緒に回転し、それにより、最終用量ナット５０に相対回転は起こらない。最終用量ナット５０は、したがって、ダイヤル設定（およびリセット）中のみ駆動スリーブ４０に沿って軸方向に移動する。
【００８３】
用量の送達が、用量設定要素６０がゼロ用量当接部に戻ることによって停止された後、ユーザは、ボタン７０を解放することができ、それによって、駆動スリーブ４０のスプライン歯４１とリセットプレート１５０の歯１５１を再係合させる。機構は、次に、静止状態に戻される。
【００８４】
機構はまた、カートリッジ１００の後面（リム）に対して、これを遠位方向に付勢するように作用するカートリッジホルダばね１６０も含む。これは、カートリッジ１００が常に遠位に付勢され、カートリッジ１００の長さの公差の影響、および針がデバイスに嵌合されたときに近位に動くカートリッジ１００の可能性を取り除くことを確実にするため、用量が正確になることを助ける。図示する実施形態では、カートリッジホルダばね１６０は、波形ばね（ｗａｖｅ  ｓｐｒｉｎｇ）構成要素からなるが、これは、任意のばね手段とすることもできる。
【００８５】
駆動スリーブ４０またはリセットプレート１５０上のスプライン歯４１、１５１に角度を付けることが可能であり、それにより、ボタン７０が解放されたとき、スプライン歯の再係合は、駆動スリーブ４０を部分的に巻き戻し、それによって用量設定要素６０とゲージ要素１１０のゼロ用量止め具当接の係合を取り外す。これは、（たとえば公差による）機構内の隙間の影響を補償し、この隙間は、そうでなければ、デバイスがその後の用量のためにダイヤル設定されたとき（用量設定要素６０のゼロ用量止め具が、機構をもはや制御せず、その代わりにその抑止力は、駆動スリーブ４０とハウジング１０との間のスプラインへの制御戻りにより）、ピストンロッド３０のわずかな前進および薬剤投薬をもたらす可能性がある。
【００８６】
機構をリセットするために、ユーザは、最初、カートリッジホルダ２０を緩め、それによってトリガばね１３０がリセットプレート１５０（およびその結果用量設定要素６０）を軸方向に遠位方向に動かすことを可能にする（図１２ａ）。この軸方向の移動は、リセットプレート１５０と駆動スリーブ４０との間のスプライン４１、１５１およびクラッチプレート１２０と用量設定要素６０との間のスプライン１２２、６５を連結解除するのに十分である。これはまた、トリガばね１３０から一部の圧縮を取り除く。それと同時に、用量設定要素６０とハウジング１０上のスプライン歯１４、６２間で係合がなされて、用量設定要素６０を回転方向にロックする。これは、用量がダイヤル設定された場合、駆動ばね９０が用量設定要素６０をリセット作動中にそのゼロ位置に戻すことができないこと確実にする。用量設定要素６０とボタン７０との間のスプラインインターフェース６４、７１は、係合されたままであり、それによってリセット状態にある間、ボタン７０の回転を防止する。
【００８７】
ユーザは、次いで、新しいカートリッジ１００をカートリッジホルダ２０に嵌入することができ、支承部１４０およびピストンロッド３０は機構内に押し戻される。ピストンロッド３０が機構内に戻されるとき、ピストンロッド３０内の回転が、ハウジング１０のねじ山インターフェースによって生成される。このピストンロッド３０の回転は、駆動スリーブ４０をそのスプラインインターフェースによって回転させ、それによって最終用量ナット５０をその開始位置に巻き戻すように作用する。
【００８８】
リセットの後半では、カートリッジホルダ２０は、ハウジング１０と接触し、この時点で、支承部１４０、ピストンロッド３０、および最終用量ナット５０は、完全なリセット位置に到達している。ロック位置へのカートリッジホルダ２０の単なる回転が、次いで、リセットプレート１５０（およびその結果用量設定要素６０）を近位方向に動かせるように作用して、駆動スリーブ４０およびクラッチプレート１２０のスプラインを再係合させる。
【００８９】
上記で説明したこの実施形態では、デバイスがリセット状態にあるときにボタン７０を押さえることにより、駆動スリーブとリセットプレート１５０との間のスプライン４１、１５１の再係合が引き起こされて、ボタン７０が解放されるまで、デバイスをリセットするさらなる作用を防止する。
【００９０】
これは、スプラインインターフェースの相対回転位置を制御することによって防止することができ、その結果、リセット状態では、用量設定要素６０がハウジング１０に回転方向にロックされたとき、スプライン７１は、ハウジングスプライン１５と軸方向に当接し、故に、ボタン７０は、軸方向に動くことができないように、用量設定要素６０はボタン７０を回転させる（図１３）。
【符号の説明】
【００９１】
１０  ハウジング
１１ａ、ｂ  開口部（窓、アパーチャ）
１２  フランジ様内壁
１３  ストリップ
１４  スプライン
１５  スプライン
２０  カートリッジホルダ
３０  ピストンロッド（親ねじ）
３１  外側ねじ山
４０  駆動スリーブ
４１  歯
４２  ラチェット歯
４３  スプライン
４４  ねじ山
５０  ナット（最終用量ナット）
６０  用量設定要素（数字スリーブ、用量インジケータ）
６１  スプライン
６２  スプライン
６３  ねじ山
６４  スプライン
６５  歯
６６  ラチェット
７０  ボタン
７１  スプライン
７２  クリックアーム
８０  用量セレクタ
９０  ねじりばね
１００  カートリッジ
１１０  ゲージ要素
１１１  開口部（窓、アパーチャ）
１１２  らせん特徴
１２０  クラッチプレート（クラッチ要素）
１２１  ラチェット歯
１２２  歯
１３０  クラッチばね（トリガばね）
１４０  支承部
１５０  リセットプレート（リセット要素）
１５１  スプライン
１６０  カートリッジホルダばね
Ｉ  長手方向軸
【図１】
0006573666.tif 000002
【図２】
0006573666.tif 000003
【図３】
0006573666.tif 000004
【図４】
0006573666.tif 000005
【図５】
0006573666.tif 000006
【図６】
0006573666.tif 000007
【図７ａ】
0006573666.tif 000008
【図７ｂ】
0006573666.tif 000009
【図８ａ】
0006573666.tif 000010
【図８ｂ】
0006573666.tif 000011
【図９】
0006573666.tif 000012
【図１０】
0006573666.tif 000013
【図１１】
0006573666.tif 000014
【図１２ａ】
0006573666.tif 000015
【図１２ｂ】
0006573666.tif 000016
【図１２ｃ】
0006573666.tif 000017
【図１３】
0006573666.tif 000018